(57)【要約】      （修正有）【課題】排水管に挿入するホース部の外径を可能な限り大きくしつつ、排水管のエルボ部に引掛かることなく容易に挿入できるドレン装置及びドレイン装置に用いられるホース部を提供する。【解決手段】ドレン装置２０は、排水穴２３を有する水受け部２１と、水受け部に連結されて排水穴に開口する中空の筒体からなるホース部１０とを具備するドレン装置であって、ホース部は、水受け部とは反対側の先端から所定長さＬに渡り、筒体の周方向一部分を除去した形状を有する弱化部分１２を備える。【選択図】図１
0003186595.tif 000002
【実用新案登録請求の範囲】
【請求項１】
排水穴を有する水受け部と、該水受け部に連結されて該排水穴に開口する中空の筒体からなるホース部とを具備するドレン装置であって、
前記ホース部は、前記水受け部とは反対側の先端から所定長さに渡り、前記筒体の周方向一部分を除去した形状を有する弱化部分を備える、ドレン装置。
【請求項２】
前記ホース部は、軸線方向一端で前記水受け部に連結される円筒形状の本体部分をさらに備える、請求項１に記載のドレン装置。
【請求項３】
前記弱化部分は、前記本体部分の外径を定める円弧に沿って延びる形状を有する、請求項２に記載のドレン装置。
【請求項４】
前記弱化部分は、前記筒体の中心軸線に斜交する端面を有する、請求項１〜３のいずれか１項に記載のドレン装置。
【請求項５】
前記弱化部分は、半円筒形状を有する、請求項３に記載のドレン装置。
【請求項６】
前記弱化部分の前記所定長さは、前記筒体の太さの０．８倍以上、２．０倍以下である、請求項１〜５のいずれか１項に記載のドレン装置。
【請求項７】
前記水受け部は、前記排水穴を有する第１シート部分と、該第１シート部分に対し略直交する方向へ曲げて配置できる第２シート部分とを備え、前記弱化部分は、該第２シート部分に対応する側で前記周方向一部分を除去した形状を有する、請求項１〜６のいずれか１項に記載のドレン装置。
【請求項８】
前記水受け部と前記ホース部とが一体成形される、請求項１〜７のいずれか１項に記載のドレン装置。
【請求項９】
前記水受け部と前記ホース部とが別体に形成されて互いに固定される、請求項１〜７のいずれか１項に記載のドレン装置。
【請求項１０】
請求項９に記載のドレン装置に用いられるホース部。
【考案の詳細な説明】
【技術分野】
【０００１】
本考案は、既設のドレンに設置するドレン装置及びそのホース部に関する。
【背景技術】
【０００２】
屋上の防水改修を行う場合、屋上に設けられた既設のドレン（以下、既設ドレンと称する）に、水受け部と水受け部から延びるホース部とから構成される改修用のドレン装置（成形ドレンとも呼ぶ）を被せて設置する。図８に示すように、屋上３０の側壁３１に設けられる横引きタイプの既設ドレン３２にドレン装置４０を被せる場合には、その既設ドレン３２の排水管３３に、ドレン装置４０の水受け部４１から延びるホース部４２を挿入していた。しかしながら、水平方向に延びる排水管３３は、エルボ部３４を介して、９０度曲がり垂直方向（縦方向）に延びる排水管３５に接続している。また、従来のホース部４２の先端面４３は、ホース部４２の軸線に対して垂直な面で切断して形成されているため、ドレン装置４０を押し込んでも、ホース部４２の先端面４３はエルボ部３４内の壁に突き当たり、ホース部４２を垂直方向に延びる排水管３５に挿入し難いという問題があった。ホース部４２の外径（ホース径）を小さくすれば、ホース部４２がエルボ部３４内の壁に沿って曲がり挿入できるが、ホース径が小さいと雨水排水計算に基づく排水量が足りなくなるおそれがある。また、ホース部４２の先端が、エルボ部３４の先である垂直に延びる排水管３５にまで挿入されないと、ドレン装置４０に流入した雨水が逆流し漏水を起こす懸念があった。従来は、挿入する排水管の内径に対して可能な限り大きい外径のホース部４２を用いており、棒等を用いてホース部４２の先端面４３を無理に曲げることでホース部４２を垂直方向の排水管３５に意図的に挿入していた。そのため、ドレン装置４０の設置には時間と労力とを必要としている。
【０００３】
特許文献１には、雨水用排水管に接続される可撓性樹脂管の接続側の先端に紐状のものを引具として取付け、その逆端側を取付けフランジ排水流入口より取出す構造とすることにより、そのフランジ側の引具を引くことで可撓性樹脂管を任意の方向と角度に折り曲げることを可能にしたルーフドレン装置が示されている。このルーフドレン装置は、先端に紐状のものを取付けることから、ルーフドレン装置を設置した後に、紐状のものを取り外す必要がある。
【先行技術文献】
【特許文献】
【０００４】
【特許文献１】特開２００５−２３２８７７号公報
【考案の概要】
【考案が解決しようとする課題】
【０００５】
排水管に挿入するホース径を可能な限り大きくしつつ、排水管のエルボ部に引掛かることなく容易に挿入できるホース部を備えるドレン装置が望まれている。
【課題を解決するための手段】
【０００６】
本考案は、排水穴を有する水受け部と、該水受け部に連結されて該排水穴に開口する中空の筒体からなるホース部とを具備するドレン装置であって、前記ホース部は、前記水受け部とは反対側の先端から所定長さに渡り、前記筒体の周方向一部分を除去した形状を有する弱化部分を備える、ドレン装置を提供する。
【０００７】
また、本考案は、前記ホース部が、軸線方向一端で前記水受け部に連結される円筒形状の本体部分をさらに備える、前記ドレン装置を提供する。
【０００８】
また、本考案は、前記弱化部分が、前記本体部分の外径を定める円弧に沿って延びる形状を有する、前記ドレン装置を提供する。
【０００９】
また、本考案は、前記弱化部分が、前記筒体の中心軸線に斜交する端面を有する、前記ドレン装置を提供する。
【００１０】
また、本考案は、前記弱化部分が、半円筒形状を有する、前記ドレン装置を提供する。
【００１１】
また、本考案は、前記弱化部分の前記所定長さが、前記筒体の太さの０．８倍以上、２．０倍以下である、前記ドレン装置を提供する。
【００１２】
また、本考案は、前記水受け部は、前記排水穴を有する第１シート部分と、該第１シート部分に対し略直交する方向へ曲げて配置できる第２シート部分とを備え、前記弱化部分は、該第２シート部分に対応する側で前記周方向一部分を除去した形状を有する、前記ドレン装置を提供する。
【００１３】
また、本考案は、前記水受け部と前記ホース部とが一体成形される、前記ドレン装置を提供する。
【００１４】
また、本考案は、前記水受け部と前記ホース部とが別体に形成されて互いに固定される、前記ドレン装置を提供する。
【００１５】
また、本考案は、前記ドレン装置に用いられるホース部を提供する。
【考案の効果】
【００１６】
本考案のドレン装置によれば、エルボ部を有する排水管内にドレン装置のホース部を挿入する際、ドレン装置を押し込むだけで、ホース部の弱化部分がエルボ部の壁面に追従して曲がり、それによりホース部がエルボ部の形状に応じて曲がる。そのため、排水管の経路がエルボ部により９０度曲がっても、ドレン装置のホース部を排水管内に容易に挿入することができる。ドレン装置のホース部を垂直方向に延びる排水管まで挿入できるので漏水の危険を回避できる。ドレン装置を容易に設置することができ、延いては、改修工事等の工期の短縮を図ることができる。
【図面の簡単な説明】
【００１７】
【図１】本考案の実施形態によるドレン装置を示す斜視図である。
【図２】図１のＩＩ−ＩＩ線に沿ったドレン装置の断面図である。
【図３】本考案の実施形態によるドレン装置のホース部を、既設ドレンの排水管に挿入した状態を示す断面図である。
【図４】本考案の実施形態によるドレン装置の別例を示す斜視図である。
【図５】図４のＶ−Ｖ線に沿ったドレン装置の断面図であり、ホース部の弱化部分の横断面形状を示す図である。
【図６】弱化部分の他の例を示す断面図である。
【図７】ホース部の別例を示す斜視図である。
【図８】従来のドレン装置のホースを、既設ドレンの排水管に挿入した状態を示す断面図である。
【考案を実施するための形態】
【００１８】
以下、添付図面を参照して本考案の実施形態について説明する。以下の実施形態において同一又は類似の構成要素には共通の参照符号を付して示し、理解を容易にするために、これら図面は縮尺を適宜変更している。また、本考案の技術範囲はそれらの実施形態に限定されず、実用新案登録請求の範囲に記載した考案とその均等物におよぶ点に留意されたい。
【００１９】
本実施形態によるドレン装置２０について説明する。ドレン装置２０は、図１及び図２に示すように、排水穴２３を有する水受け部２１と、水受け部２１に連結されて排水穴２３に開口する中空の筒体からなるホース部１０とを備える。ホース部１０は、水受け部２１とは反対側の先端１０ａから所定長さＬ１に渡り、筒体の周方向一部分を除去した形状を有する弱化部分１２を備える。図示実施形態のホース部１０は、軸線Ａの軸線方向一端で水受け部２１に連結される円筒形状の本体部分１１を備える。ホース部１０は外側に所定の間隔でリブ１０ｃが形成され、本体部分１１の太さである外径Ｄはリブ１０ｃを含む。
【００２０】
弱化部分１２は、本体部分１１の外径を定める円弧に沿って延びる形状を有する。弱化部分１２は、筒体の中心軸線Ａに所定の角度αで斜交する先端面Ｇを有する。弱化部分１２は、図中下方（Ｈ方向）において、本体部分１１より曲がり易い。
【００２１】
弱化部分１２の長さＬ１は、曲がり易さの観点から、好ましくは、本体部分１１の太さである外径Ｄ１の０．８倍以上、２．０以下である。弱化部分１２の長さＬ１が外径Ｄ１の０．８倍より小さい場合、弱化部分１２は、エルボ部３４の内壁に従って充分に曲がることが困難であり、また、長さＬ１が外径Ｄ１の２．０倍より大きい場合、弱化部分１２が撓み易くなることから、ホース部１０を排水管に挿入するとき扱い難くなる。弱化部分１２のＨ方向の曲がり易さは、弱化部分１２の長さＬ１の大きさや、先端面Ｇと中心軸線Ａとが斜交する角度αの大きさを変更することで調節することができる。
【００２２】
ホース部１０は可撓性の樹脂管より形成されており、挿入される排水管の経路に応じて曲がることが可能である。図に示すように、弱化部分１２がホース部１０の先端１０ａから所定の長さＬ１に渡り、ホース部１０の筒体の周方向一部分を除去した形状を有することにより、弱化部分１２は本体部分１１よりも図中下方（Ｈ方向）に容易に曲がるようになる。
【００２３】
ドレン装置２０は、屋上床面の防水材料との取り合いとなる水受け部２１を備える。水受け部２１は上述したように排水穴２３を有し、排水穴２３はホース部１０の中空の筒体の開口１１ａに連結している。排水穴２３と開口１１ａとは略同じ直径で形成される。
【００２４】
図示実施形態の水受け部２１は、排水穴２３を有する第１シート部分２２と、第１シート部分２２に対し略直交する方向へ曲げて（図のＪ方向に曲げて）配置できる第２シート部分２４とを備える。第１シート部分２２と第２シート部分２４は同一素材、例えば塩化ビニル樹脂により作製される。水受け部２１は、鉛、銅で作製されてもよい。第１シート部分２２と第２シート部分２４との間に隙間があると漏水してしまうため、第１シート部分２２と第２シート部分２４とを一体成形するか接着や熱融着により互いに接合するのが望ましい。
【００２５】
水受け部２１の第１シート部分２２は、既設ドレン３２の水平方向に延びる排水管３３（図３参照）の内径より大きく形成される。それにより、ドレン装置２０を既設ドレン３２に被せて設置したとき、水受け部２１の第１シート部分２２が排水管３３の入口に係止され、ホース部１０が排水管３３の内部に侵入しない。
【００２６】
本実施形態の水受け部２１とホース部１０とは塩化ビニル樹脂製であり、例えばプレス成形やインジェクション成形により、一体成形することで作製される。水受け部２１とホース部１０とを別体で形成して、接着や熱融着により互いに固定してもよい。水受け部２１とホース部１０とを別体で形成する場合、上述したように水受け部２１を鉛や銅で形成してもよい。また、ホース部１０の弱化部分１２は、第２シート部分２４に対応する側、第１シート部分２２と第２シート部分２４とが連結する側に、周方向一部分を除去した形状を有する。このようにホース部１０を形成することで、第２シート部分２４を屋上床面に配置してドレン装置２０を設置するときに、弱化部分１２がエルボ部３４の外側の内壁に当接して、Ｈ方向に曲がるようになる。なお、本実施形態は、排水経路がエルボ部３４によって９０度下方に曲げられ、垂直方向下方に延びる排水管３５に接続する場合を示しているが、エルボ部３４により排水管が水平方向であって横方向に曲げられている場合は、その方向に応じて弱化部分１２が曲がり易いように形成する。
【００２７】
従来のドレン装置４０のホース部４２は、図８に示すようにその先端面４３が、ホース部４２の軸線に対して略垂直に形成されている。そのため排水管３３に挿入したホース部４２の先端面４３がエルボ部３４の内壁に突き当たり、単にドレン装置４０を押し進めるだけで、ホース部４２をエルボ部３４に沿って曲げることが困難であり、作業者が棒等を用いてホース部４２の先端面４３を意図的に曲げる必要があった。
【００２８】
図３に、本実施形態のドレン装置２０を屋上３０の側壁３１に設けられた既設ドレン３２に被せ設置した状態を示す。本実施形態のドレン装置２０は、ホース部１０の先端に弱化部分１２を備えていて、弱化部分１２はホース部１０の本体部分１１より図中下方に曲がり易い。そのため、ドレン装置２０を押し進めて、弱化部分１２が水平方向の排水管３３を経由してエルボ部３４の内壁に突き当たると、弱化部分１２はエルボ部３４の内壁の形状に従って曲がる。さらにドレン装置２０を押し進めることで、本体部分１１が弱化部分１２に誘導され９０度曲がり、作業者はホース部１０を垂直方向の排水管３５に挿入することができる。
【００２９】
図４及び図５にドレン装置２０の別例を示す。図４に示すドレン装置１２０のホース部１１０は、図１に示すホース部１０と同様、水受け部１２１とは反対側の先端から所定長さＬ２に渡り、筒体の周方向一部を除去した形状を有する弱化部分１１２を備える。ホース部１１０は、軸線方向の一端で水受け部１２１に連結される円筒形状の本体部分１１１を備える。
【００３０】
本実施形態の弱化部分１１２は、図４に示すように、本体部分１１１の外径Ｄ２を定める円弧に沿って延びる形状を有する。図４に示す弱化部分１１２の円弧の中心角βは１８０度であり、弱化部分１１２は半円筒形状を有する。円弧の中心角βを１８０度として形成するのは一例であり、図６（ａ）に示す弱化部分１１２ａのように、円弧の中心角βは１８０度以下であってよく、例えば１８０度以下、１２０度以上の範囲の大きさであってよい。また、図６（ｂ）に示す弱化部分１１２ｂのように、円弧の中心角βは１８０度以上であってよく、例えば１８０度以上、２４０度以下の範囲の大きさであってもよい。
【００３１】
弱化部分１１２のＨ方向への曲がり易さは、例えば弱化部分１１２の長さＬ２を変更することによって調節することができる。弱化部分１１２の長さＬ２は、その曲がり易さの観点から、ホース部の筒体の太さである外径Ｄ２の０．８倍以上、２．０倍以下が好ましい。長さＬ２が外径Ｄ２の０．８倍より小さい場合はエルボ部３４の内壁に従って充分に曲がることが困難であり、また、外径Ｄ２の２．０倍より大きい場合は弱化部分の強度が弱くなり撓みやすくなることから、排水管に挿入するとき扱い難くなる。弱化部分１１２のＨ方向への曲がり易さは、円弧の中心角度βを変更して弱化部分１１２の横断面形状を変えることにより調節することもできる。
【００３２】
ドレン装置１２０の水受け部１２１は、図１に示すドレン装置２０の水受け部２１と同様に、排水穴１２３を有するものであり、ホース部１１０の開口１１１ａが水受け部１２１の排水穴１２３に連結する。また、水受け部１２１は、排水穴１２３を有する第１シート部分１２２と、第１シート部分１２２に対し略直交する方向へ曲げて配置できる第２シート部分１２４とを備える。弱化部分１１２は、第２シート部分１２４に対応する側に、周方向一部分を除去した形状を有する。その他の構成は図１に示す水受け部２１と同様であるので詳細な説明は省略する。
【００３３】
図１及び図４に示すドレン装置２０、１２０のホース部１０、１１０の本体部分１１、１１１は円筒形状であり、その断面形状は既設ドレンの排水管の断面形状に対応するよう形成される。ホース部１０、１１０の断面形状は円筒形状に限らず、例えば楕円筒の形状や、図７に示すようにドレン装置２２０のホース部２１０を中空の四角筒形で形成してもよい。
【００３４】
以上、本実施形態によるドレン装置及びホース部について、図を参照することにより説明した。本実施形態のドレン装置は、先端から所定長さに渡り、筒体の周方向一部分を除去した形状を有する弱化部分を備える。弱化部分は本体部分より曲がり易いため、排水管のエルボ部分に引掛かることなく曲がり、ドレン装置を押し進めることでホース部を縦に配置された排水管に挿入できるようになる。屋上の側壁に設けられる横引きタイプの既設ドレンに対してもドレン装置を容易に被せて設置することができ、例えば屋上の防水改修工事において作業時間の短縮や労力の軽減が可能になる。
【符号の説明】
【００３５】
１０、１１０、２１０    ホース部
１１、１１１    本体部分
１２、１１２    弱化部分
２０、１２０、２２０    ドレン装置
２１、１２１    水受け部
２２、１２２    第１シート部分
２４、１２４    第２シート部分
２３、１２３    排水穴
３０    屋上
３１    側壁
３２    既設ドレン
３３、３５    排水管
３４    エルボ部
【図１】
0003186595.tif 000003
【図２】
0003186595.tif 000004
【図３】
0003186595.tif 000005
【図４】
0003186595.tif 000006
【図５】
0003186595.tif 000007
【図６】
0003186595.tif 000008
【図７】
0003186595.tif 000009
【図８】
0003186595.tif 000010